(57)【要約】【課題】  従来の造水装置では、海水・汚水・水蒸気を採取箇所に設置するか、またはパイプラインやタンクにより利用箇所まで搬送してコストが掛かり過ぎていたので、これらの課題を解決する。【解決手段】  本発明は、生活水・飲料水・農業用水を利用箇所に直接設置しコスト下げて空気中の水蒸気を採取して生活水・飲料水・農業用水を確保できる造水装置である。【選択図】  図１
2006314929.tif 000002
【特許請求の範囲】
【請求項１】
本発明は、地下又は水中温度を利用した外気との温度差タンクを設けて、そのタンク内に熱交換用流体水を５０％〜９０％に溜め残りを空気減圧層に施したタンク内に、外気を送風ファンで取り込み風洞フィルターで清浄してタンク内結露ループ風洞に送風し空気中の水蒸気を結露させ水収集し水収集溝を通して水収集タンク溜め、その溜め水をウォーターポンプでパイプ通じて生活水・飲料水・農業用水を使用することができ、更に水収集後の空気は地下又は水中タンク中心に施した支柱の空洞を通り空気排気口を通じて施設や家の冷風として利用することが出来ることを特徴とする造水装置。
【請求項２】
また寒い地域や時期には、地下又は水中温度を利用した温風を造り利用することが出来ることを特徴とする造水装置。
【発明の詳細な説明】
【技術分野】
【０００１】
本発明は、空気中の水蒸気を採取した、水の供給及び空調を施す造水装置に関するものである。
【背景技術】
【０００２】
本発明は、発展途上国や水不足地域の生活水や飲料水確保に関するものである。
【０００３】
本発明は、災害時の飲料水確保に関するものである。
【０００４】
本発明は、飲料水の確保が困難な辺境地に、水の供給装置に関するものである。
【０００５】
本発明は、暑い地域や暑い季節の冷風空調に関するものである。
【０００６】
本発明は、寒い地域や寒い季節の温風空調に関するものである。
【０００７】
本発明は、施設室内の空気清浄に関するものである。
【発明の開示】
【発明が解決しようとする課題】
【０００８】
従来の造水装置では、海水を淡水にする装置か汚水を浄化する装置を海水か汚水のある場所の近くに設置し供給場所まで運ぶ設備を施す問題があった。
【０００９】
又は水蒸気を水面よりパイプで空気を高地に運び水採取装置（例えば、特許文献１参照）では、装置面積が大きくなり水供給場所までパイプ等を施した設備が必要で、身近での飲料水確保する問題があった。
【００１０】
発展途上国や水不足地域での水供給では、遠くの川や湖まで汲みにいくか、地下水脈の所で井戸を掘り、生活水や飲料水を居住地まで運ぶ問題があった。
【００１１】
従来の災害時には、緊急の飲料水確保に問題があった。
【００１２】
従来は、辺境地で生活水や飲料水を確保するのに問題があった。
【００１３】
従来は、年中暑い地域や季節により暑い時期の冷風空調設備に問題があった。
【００１４】
従来は、年中寒い地域や季節により寒い時期の温風空調設備に問題があった。
【００１５】
従来は、施設室内や家屋室内の空気清浄には、エアコンや単独の空気清浄機を設置していたが、装置のエネルギー環境に問題があった。
【００１６】
【特許文献１】特開２００３−１１６３７７号公報
【課題を解決するための手段】
【００１７】
本発明の目的を達成するために、発展途上国や水不足地域の居住地にエコエネルギーを利用した造水装置を設置して生活水・飲料水・農業用水を確保し問題を解決したものである。
【００１８】
本発明の目的を達成するために、災害非難場所に予めエコエネルギーを利用した造水装置を設置して生活水・飲料水を確保したものである。
【００１９】
本発明の目的を達成するために、辺境地にエコエネルギーを利用した造水装置を設置して生活水・飲料水・農業用水を確保したものである。
【００２０】
本発明の目的を達成するために、年中暑い地域や季節により暑い時期にエコエネルギーを利用した造水装置を設置して冷風を確保したものである。
【００２１】
本発明の目的を達成するために、年中寒い地域や季節により寒い時期に造エコエネルギーを利用した水装置を設置して温風を確保したものである。
【００２２】
本発明の目的を達成するために、エコエネルギーを利用した造水装置を設置し施設室内や家屋室内に空気清浄した風を確保したものである。
【発明の効果】
【００２３】
本発明のエコエネルギーを利用した造水装置により、発展途上国や水不足地域の居住地に設置することにより、身近で生活水・飲料水・農業用水を確保し衛生面にも優れたものである。
【００２４】
本発明のエコエネルギーを利用した造水装置により、離島や辺境地の家屋や施設に設置し生活水・飲料水・農業用水を確保し衛生面にも優れたものである。
【００２５】
本発明のエコエネルギーを利用した造水装置により、年中暑い地域や季節により暑い時期に水供給の他、施設室内や家屋室内に冷風を確保できる。
【００２６】
本発明のエコエネルギーを利用した造水装置により、年中寒い地域や季節により寒い時期に、施設室内や家屋室内に温風を確保できる。
【００２７】
本発明のエコエネルギーを利用した造水装置により、クリーンな空気を施設室内や家屋室内に確保できる。
【発明を実施するための最良の形態】
【００２８】
以下、本発明の実施の形態を図１〜図６に基づいて説明する。
【００２９】
図１においては、施設に風力発電や太陽光発電等の環境にやさしいエコエネルギーを利用して地下又は水中に施した造水装置の形態。
【００３０】
図２においては、造水装置全体の側面を表し、符号は各部品や機能わ表す。
【００３１】
図３〜図６においては、造水装置各部分の断面を表し、符号は各部品や機能わ表す。
【００３２】
図２〜図６に示す造水装置に関して実施する形態は、地下又は水中温度を利用した外気との温度差タンク７を設けて、そのタンク内に熱交換用流体水１４を５０％〜９０％１４−ａに溜め残りを空気減圧層１２に施したタンク１９内に、外気を送風ファン１１で取り込み風洞フィルター６・６−ａで清浄してタンク内結露ループ風洞１７に送風し２２空気中の水蒸気を結露させ水収集し水収集溝１７−ｂを通して水収集タンク２１溜め、その溜め水をウォーターポンプ８でパイプ１３通じて生活水・飲料水・農業用水を使用することができ、更に水収集後の空気は地下又は水中タンク中心に施した支柱３の空洞を通り２２空気排気口１を通じて施設や家の冷風として使用することが出来る造水装置の形態である。
【００３３】
また寒い地域や時期には、地下又は水中温度を利用した温風を造ることが出来る造水装置の形態である。
【図面の簡単な説明】
【００３４】
【図１】風力発電装置や太陽光発電装置と施設を造水装置と合体した図
【図２】造水装置の側面図
【図３】造水装置の外気取り入れ口平面断面図
【図４】造水装置のタンク内平面断面図
【図５】造水装置のタンク内ループ風洞の最下位部断面図
【図６】タンク内ループ風洞タペット部断面図
【符号の説明】
【００３５】
１  空気排気口
２  排気口フィルター
３  支柱
３−ａ  支柱内断熱材
４  排気フィルターケース
５  送風ファンモーター
６  外気取り込みフィルターケース
６−ａ  外気取り込みフィルターケース風洞
７  造水装置構造物外壁
８  収集水汲み上げポンプ
９  活性炭
１０  触媒セラミック
１１  送風ファン
１２  タンク内空気減圧層
１３  収集水汲み上げパイプ
１４  水、流体
１４−a  液体面
１５  風洞（ループ取り付け）
１６  ループ支持柱
１７  結露用水収集ループ風洞
１７−a  ループ風洞補強、及び熱交換タペット
１７−b  ループ内凝縮水収集溝
１７−c  ループ風洞熱交換羽
１７−d  ループ風洞タペット空洞内部の液体熱交換流れを示す矢印
１８  ループ風洞より支柱内へ取り付け空気排気口
１９  装置構造物内タンク内壁
２０  凝縮水収集パイプ
２１  凝縮水収集タンク
２２  風洞内空気の流れを示す矢印
２３  凝縮水収集タンク内空気抜きパイプ
２４  冷暖用ガスコンプレッサー
２５  ガス回収パイプ
２６  ガス送出パイプ
２７  冷暖用熱交換パネル
２８  減圧空気弁
２９  減圧空気弁用パイプ
３０  流体の熱交換時循環を示す矢印
３１  温風ヒーター用電熱線
【図１】
2006314929.tif 000003
【図２】
2006314929.tif 000004
【図３】
2006314929.tif 000005
【図４】
2006314929.tif 000006
【図５】
2006314929.tif 000007
【図６】
2006314929.tif 000008